(57)【要約】【課題】足場仮設の際に施工する、打ち込みアンカー専用の化粧カバーである。躯体をダイヤモンドコアドリルで採穴する事により、打ち込みアンカーを露出させ、シールリングをアンカー廻りに・外壁取り合い部には隙間シールを施工する事により止水効果を高め、タイルの張替を不用とし、将来の工事の際に再使用が可能となる化粧プラグである。【解決手段】電源の引き込み等の設備をすることなく、ポータブルな採穴工具により、対象部のアンカー廻りをくりぬき、カバー周りから雨水が浸入しないようにシールリングを接着して復旧することが可能となるようにしたプラグである。タイル以外の外壁にも使用が可能であり、新築時に施工する事により、将来の改修時に足場の仮設が計画的に・作業環境を快適に行なうことが可能となる。【選択図】図１
2005030187.tif 000002
【特許請求の範囲】
【請求項１】
改修工事完了時に、足場解体に伴い発生する壁繋ぎの跡を径３０ｍｍ深さ１０ｍｍ程度の穴をあけて、施工済の打ち込みアンカーを露出させてシーリングパッキン内蔵の化粧ボルトを取り付けて復旧する。将来の改修工事の際に再度使用が可能なような処理を行なう工法である。
先行して、足場架設開始時に使用する事により、より効率的に作業を行なうことも可能である。
【発明の詳細な説明】
【発明の詳細な説明】
【技術分野】
【０００１】本発明は、携帯型のダイヤモンドコア抜き器具を使用して、既存アンカー廻りに径３０ｍｍの穴を新設して、施工済アンカー内部をケイ酸系の止水材を塗布して防水する。内部の防水施工後シーリングパッキン内蔵の化粧プラグを取り付けて復旧を行なう挿入材（プラグ）である。このプラグは必要に応じて再使用が可能である。又、ステンレス等を使用する事により意匠に優れた金物の新設とすることも可能である。
【背景技術】
【０００２】これまで、改修工事の際に設置する足場仮設工事に伴い、外壁に壁繋ぎ用のアンカーを打設し工事完了に伴い、既存打ち込みアンカーの処理として、通常はシーリング材の充填塗り込み・タイルの場合は張替え等による補修を行っています。
このアンカーの跡は漏水・壁面汚染の原因となるなど、補修方法が困難なものです。又、外壁タイルの場合は、特別な色と形に焼付け成型されており、同じものを作りかえることには大変な費用を必要とする。又、色・形・材質・光沢全てを備えた同じものを作成することは出来ない。そのため、見栄えが悪くなることは承知の上で改修工事を実施していたのが現状です。
【発明が解決しようとする課題】
【０００３】１．工事完了後のアンカー打設部の汚れ防止。特にシーリングの変色による汚れ。
シーリングの硬化に伴う体積減少による不具合の発生。の防止。
２．外壁タイルの場合の、復旧費用・復旧時間の低減。
３．改修に伴って施工した、壁繋ぎアンカーの再使用・永久使用の実現。
４．新築時における、改修を前提とした固定金物用の設置が可能となる。
【課題を解決するための手段】
【０００４】１．設置アンカー廻りを専用工具でコア穴抜きする事により、接着剤・シールパッキンの密閉性を付加した化粧プラグの使用により汚れ防止ができる。
２．施工時に電源を必要としない。軽量でコンパクトなサイズの実現。穴あけ時に保管した既存タイルを短時間で復旧できる。
３．プラグの素材に高耐久性の素材・簡便な固定方法（六角ボルト穴）を使用する事により再使用を可能とした。
４．新築時における、改修を前提とした意匠性に優れた固定金物用の設置が可能となる。
【発明を実施するための最良の形態】
【０００５】以下に本発明の実施の形態について説明する。
イ）対象がタイル張りの場合は、事前に専用の器具によるコア穴抜きを行いこのコア穴内に壁つなぎ等のアンカーを設置する。専用ガイド使用。外壁が塗装仕上げの場合は、コア抜きは足場解体時でも可能である。
ロ）新規打設のアンカー内部に止水材を塗布して、アンカーからの漏水に備える。シリカ系の止水材が最適である。
ハ）六角ボルト穴つき・ボルト内側・外部鍔部分に取り付けたシール材により固定・止水防水を可能とする。
【実施例】
【０００６】タイル外壁の壁繋ぎアンカー跡への化粧プラグ取付け。
外壁（吹きつけタイル仕上げ）の壁繋ぎアンカーへの専用キャップ。
【発明の効果】
【０００７】本発明を使用する事により、足場仮設の際に取り付けたアンカー金具を永久に使用することが可能となる。建物の寿命を６０年と考えると、改修工事が１０年に１回行なわれるとすると少なくとも５回は再使用することが可能であり、足場仮設時の大きな振動騒音による不快感から開放される。
建物に必要なアンカー金物を設置しておくことが可能になり、建築業界の常識の変化にもつながると思います。
【図面の簡単な説明】
【図１】本発明品である。Ｄ／意匠仕上げ用化粧プラグ
【図２】本発明の分解部品図である。Ｅ／化粧プラグ部品図
【図３】本発明の応用品図である。Ａ／塗装下地用  Ｂ／既存タイル抜き取り用プラグ  Ｃ／既存タイル用プラグ
【符号の説明】
１．Ｓｉシリカ系防水材
２．外装吹付け仕上げ
３．化粧プラグ
４．ウレタンシールパッキン
５．モルタル系シーリング材
６．ステンレス製打ち込みアンカー
７．着色目地モルタル
８．外周ウレタンシールパッキン
９．外装材タイル
１０．タイル貼り付け用プラグ
【図１】
2005030187.tif 000003
【図２】
2005030187.tif 000004
【図３】
2005030187.tif 000005
2005030187.tif 000006
【手続補正書】
【提出日】平成16年4月11日(2004.4.11)
【手続補正１】
【補正対象書類名】図面
【補正対象項目名】全図
【補正方法】変更
【補正の内容】
【図１】
2005030187.tif 000007
【図２】
2005030187.tif 000008
【図３】
2005030187.tif 000009
【図４】
2005030187.tif 000010
【図５】
2005030187.tif 000011
【図６】
2005030187.tif 000012
【手続補正２】
【補正対象書類名】明細書
【補正対象項目名】全文
【補正方法】変更
【補正の内容】
【発明の詳細な説明】
【技術分野】
【０００１】  発泡コンクリート下地に、固定用ボルトを取り付ける方法である。
現在新しく建物を作るにあたり、発泡コンクリートによる建物が多く建てられています。
このような建物の、部分的な補修は、外部につなぎ金物を取り付けて足場を組み上げることが困難な為、つり足場による場合が多いのが実情です。
足場を架設したくても壁面の強度不足の為、作業用の足場の確保が難しい為です。
そのほかにも、建物の屋上取付け部の強度不足の為に、屋上取り付け部の補強に多額の費用を要す場合もあります。
改修工事の際は、足場を必要とすることが多く、作業用の足場の確保が最大の課題となっている。又、やっと施工した足場架設用のプラグも、工事中に抜け落ちることもあり、いかに強力に壁繋ぎ金物を設置するかが問われています。
この発明は、施工後繰り返し加重を受けても、より大きな引張り・せん断強度を期待できる為、発泡コンクリート下地の既存建築物に対して外部に足場を架設する際に使用することを目的としています。
施工後は、化粧プラグを使用する事により、再使用が可能なように意匠を含めた取り付けを可能とした。
【背景技術】
【０００２】現在一般的に使用されている、一部ＡＬＣ造のために使用されている特殊金物は、主に本体に張り出しを取り付けて回転防止・躯体内でつばを開くことにより引っ張り強度を設計使用されているのが現状です。
しかし、躯体そのものが脆弱な為、強度を期待することが困難です。
現実には、発泡コンクリート建物のように、下地の強度が経年劣化により低下している場合にも，使用されているのが現状ですが施工に関しては的確さを欠いています。
より大きな強度を期待する為には、表装の仕上げ材・躯体の発泡コンクリートを破壊・開穴して、躯体構造金物に直接溶接等の大掛かりな作業をしている。
【発明が解決しようとする課題】
【０００３】１．工事完了後のアンカー打設部の汚れ防止。特にシーリングの変色による汚れ。シーリングの硬化に伴う体積減少による不具合の発生。の防止。
２．外壁タイルの場合の、復旧費用・復旧時間の低減。
３．改修に伴って施工した、壁繋ぎアンカーの再使用・永久使用の実現。
４．新築時における、改修を前提とした固定金物の設置が可能となる。
【課題を解決するための手段】
【０００４】１．設置アンカー廻りを専用工具でコア抜きする事により、接着剤・シールパッキンの密閉性を付加した化粧プラグの使用により汚れ防止ができる。
２．施工時に電源を必要としない。軽量でコンパクトなサイズの実現。穴あけ時に保管した既存タイルを短時間で復旧できる。
３．プラグの素材に高耐久性の素材・簡便な固定方法（六角ボルト穴）を使用する事により再使用を可能とした。
４．新築時における、改修を前提とした意匠性に優れた固定金物の設置が可能となる。
【発明を実施するための最良の形態】
【０００５】以下に本発明の実施の形態について説明する。
イ）  対象がタイル張りの場合は、事前に専用の器具によるコア抜きを行いこのコア内に壁つなぎ等のアンカーを設置する。専用ガイド使用。
外壁が塗装仕上げの場合には、コア抜きは足場解体時でも可能である。
ロ）新規打設のアンカー内部に止水材を塗布して、アンカーからの漏水に備える。シリカ系の止水材が最適である。
ハ）六角ボルト穴つき・ボルト内側・外部顎部分に取り付けたシール材により固定・止水防水を可能とする。
【実施例】
【０００６】タイル外壁の壁繋ぎアンカー跡への化粧プラグ取り付け。
外壁（吹き付けタイル仕上げ）の壁繋ぎアンカーへの専用キャップ。
【発明の効果】
【０００７】本発明を使用する事により、足場仮設の際に取り付けたアンカー金具を永久に使用することが可能となる。建物の寿命を６０年と考えると、改修工事が１０年に１回行われるとすると少なくとも５回は再使用することが可能であり、足場仮設時の大きな振動騒音による不快感から開放される。
建物に必要なアンカー金物を設置しておくことが可能になり、建築業界の常識の変化にもつながると思います。
【図面の簡単な説明】
【０００８】
【図１】本発明品の取り付け概要である。塗装意匠仕上げ用化粧プラグ  打ち込み済みアンカーの周りを円筒状にくりぬき、当発明品を取り付ける。
【図２】本発明の本体図である。塗装用打ち込み化粧プラグ部品図  部品４．８と２枚使用する事によりシール・防水が可能となる。
【図３】本発明の応用品図である。タイル仕上げ用化粧プラグ  タイル面を円筒状にくりぬき、当発明品の変形を取り付けシール・防水が可能となる。
【図４】本発明を正面から見た図  六角穴を掘り込み、専用棒を使用して固定・脱着を行なう。
【図５】図３の製品を取り付けた姿図  塗装下地部分に、図３を取り付け、外壁と同色に塗装した当化粧プラグを取り付けたもの。
【図６】本発明タイル用の仕上がり  当発明品を躯体部に穴あけ後固定し、穴あけ時採取したタイルを再固定したもの。
【符号の説明】
【０００９】  １．Ｓｉシリカ系含浸防水材
２．外装吹付け仕上げ
３．化粧プラグ
４．ウレタンシールパッキン・ゲル・ＯＡ・パッキン
５．モルタル系シーリング材
６．ステンレス製打ち込みアンカー
７．着色目地モルタル
８．外周ウレタンシールパッキン・ゲル・ＯＡ・パッキン
９．外装材タイル
１０．タイル貼り付け用プラグ
１１．躯体コンクリート
１２．モルタル下地